(57)【要約】【課題】簡易な構成で多重染色された標本の多重励起の画素分解能の良い観察画像が取得できる走査型レーザ顕微鏡装置を提供すること。【解決手段】複数のレーザ光Ｌ１〜Ｌ４を標本５４に照射しつつ走査し、標本５４が発する光をもとに観察画像を取得する走査型レーザ顕微鏡装置１において、複数のレーザ光Ｌ１〜Ｌ４を走査する走査ユニット４２と、走査ユニット４２が観察画像の１画素を走査する走査時間を複数のレーザ光Ｌ１〜Ｌ４の数に対応させて時分割し、時分割された時間に対応して複数のレーザ光Ｌ１〜Ｌ４をそれぞれ標本５４に照射するレーザ光制御部２１と、を備える。【選択図】        図１
2006215177.tif 000002
【特許請求の範囲】
【請求項１】
複数のレーザ光を標本に照射しつつ走査し、前記標本が発する光をもとに観察画像を取得する走査型レーザ顕微鏡装置において、
前記複数のレーザ光を走査する走査手段と、
前記走査手段が前記観察画像の１画素を走査する走査時間を前記複数のレーザ光の数に対応させて時分割し、該時分割された時間に対応して前記複数のレーザ光をそれぞれ前記標本に照射する照射制御手段と、
を備えたことを特徴とする走査型レーザ顕微鏡装置。
【請求項２】
前記複数のレーザ光の光源を制御し、前記標本に対する照射光量を制御する光量制御手段をさらに備えることを特徴とする請求項１に記載の走査型レーザ顕微鏡装置。
【請求項３】
複数のレーザ光を標本に照射しつつ走査し、前記標本が発する光をもとに観察画像を取得する走査型レーザ顕微鏡装置において、
前記複数のレーザ光を走査する走査手段と、
前記走査手段が前記観察画像の１画素を走査する走査時間を前記複数のレーザ光の数に対応させて時分割し、該時分割された時間に対応して前記複数のレーザ光をそれぞれ前記標本に照射する照射制御手段と、
前記複数のレーザ光の光源を制御し、前記標本に対する照射光量を制御する光量制御手段と、
前記走査手段と前記照射制御手段と前記光量制御手段とを制御し、前記複数のレーザ光を前記標本に対して互いに独立して所望の領域を所望の光量で照射する制御を行う制御手段と、
を備えたことを特徴とする走査型レーザ顕微鏡装置。
【請求項４】
前記走査領域を記憶する走査領域記憶手段をさらに備えることを特徴とする請求項１〜３のいずれか一つに記載の走査型レーザ顕微鏡装置。
【請求項５】
前記照射光量を記憶する照射光量記憶手段をさらに備えることを特徴とする請求項１〜４のいずれか一つに記載の走査型レーザ顕微鏡装置。
【発明の詳細な説明】
【技術分野】
【０００１】
本発明は、複数のレーザ光を標本に照射し、前記標本が発した光をもとに観察画像を取得する走査型レーザ顕微鏡装置に関するものである。
【背景技術】
【０００２】
従来から、複数のレーザ光を標本に照射し、標本が発する光をもとに観察画像を取得する走査型レーザ顕微鏡装置が多用されている。特に標本が生体であり多重染色されている場合、複数の励起波長のレーザ光をそれぞれ所望の標本部位に照射し、この複数の励起波長のレーザ光に対応して発した複数の蛍光を観察することが要求されている。また、同じ励起波長のレーザ光によっても所望部位ごとに異なる光量で照射することも望まれている。そこで、観察画像の１ラインごと間欠的にそれぞれ複数の励起波長のレーザ光を照射する技術（特許文献１）、観察画像の１画素ごとに励起波長を可変する技術（特許文献２）、および観察画像の１画素ごとに光変調を行う技術（特許文献３）が開示されている。
【０００３】
【特許文献１】特開平９―３２９７４９号公報
【特許文献２】特開平１０―２０６７４５号公報
【特許文献３】特開２００２―１３１６４５号公報
【発明の開示】
【発明が解決しようとする課題】
【０００４】
しかしながら、特許文献１に記載されたものは、間欠的にレーザ光を照射するため、照射の画素分解能が悪くなるという問題点があった。
【０００５】
また、特許文献２に記載されたものは、１画素ごとに励起波長を可変するため、多重染色された標本の多重励起の観察画像が取得できないという問題点があった。
【０００６】
また、特許文献３に記載されたものは、観察画像の１フレームに２以上の照射領域の指定およびＡＯＴＦ以外の変調手段が用いることができないという問題点があった。
【０００７】
本発明は、上記に鑑みてなされたものであって、簡易な構成で多重染色された標本に対して所望の複数の励起波長のレーザ光によって所望の部位を所望の光量で照射し、多重励起の画素分解能の良い観察画像を取得できる走査型レーザ顕微鏡装置を提供することを目的とする。
【課題を解決するための手段】
【０００８】
上記目的を達成するために、請求項１にかかる走査型レーザ顕微鏡装置は、複数のレーザ光を標本に照射しつつ走査し、前記標本が発する光をもとに観察画像を取得する走査型レーザ顕微鏡装置において、前記複数のレーザ光を走査する走査手段と、前記走査手段が前記観察画像の１画素を走査する走査時間を前記複数のレーザ光の数に対応させて時分割し、該時分割された時間に対応して前記複数のレーザ光をそれぞれ前記標本に照射する照射制御手段と、を備えたことを特徴とする。
【０００９】
また、請求項２にかかる走査型レーザ顕微鏡装置は、上記の発明において、前記複数のレーザ光の光源を制御し、前記標本に対する照射光量を制御する光量制御手段をさらに備えることを特徴とする。
【００１０】
また、請求項３にかかる走査型レーザ顕微鏡装置は、上記の発明において、複数のレーザ光を標本に照射しつつ走査し、前記標本が発する光をもとに観察画像を取得する走査型レーザ顕微鏡装置において、前記複数のレーザ光を走査する走査手段と、前記走査手段が前記観察画像の１画素を走査する走査時間を前記複数のレーザ光の数に対応させて時分割し、該時分割された時間に対応して前記複数のレーザ光をそれぞれ前記標本に照射する照射制御手段と、前記複数のレーザ光の光源を制御し、前記標本に対する照射光量を制御する光量制御手段と、前記走査手段と前記照射制御手段と前記光量制御手段とを制御し、前記複数のレーザ光を前記標本に対して互いに独立して所望の領域を所望の光量で照射する制御を行う制御手段と、を備えたことを特徴とする。
【００１１】
また、請求項４にかかる走査型レーザ顕微鏡装置は、上記の発明において、前記走査領域を記憶する走査領域記憶手段をさらに備えることを特徴とする。
【００１２】
また、請求項５にかかる走査型レーザ顕微鏡装置は、上記の発明において、前記照射光量を記憶する照射光量記憶手段をさらに備えることを特徴とする。
【発明の効果】
【００１３】
本発明にかかる走査型レーザ顕微鏡装置は、複数のレーザ光を時分割して照射することによって多重染色された標本の多重励起の画素分解能の良い観察画像が取得できるという効果を奏する。
【発明を実施するための最良の形態】
【００１４】
以下に添付図面を参照して、この発明にかかる走査型レーザ顕微鏡装置の好適な実施の形態を詳細に説明する。
【００１５】
（実施の形態１）
図１は、この発明の実施の形態１にかかる走査型レーザ顕微鏡装置１の概要構成を示すブロック図である。図１に示すように、この走査型レーザ顕微鏡装置１は、装置の各ユニットを制御する制御ユニット２と、複数のレーザ光を出射するレーザ光発振ユニット３と、レーザ光発振ユニット３が出射したレーザ光を走査するとともに標本５４が発した蛍光を受光する走査ユニット４と、走査ユニット４で走査されたレーザ光を標本５４に照射するとともに標本５４が発した蛍光を受光する顕微鏡ユニット５とを有する。制御ユニット２は、入出力処理部６を接続し、入出力処理部６は、入力部７と表示部８とを接続する。レーザ光発振ユニット３とレーザ光走査ユニット４とは、光ファイバ９とコリメータレンズ１０とによって接続され、顕微鏡ユニット５は、投影レンズ５０を接続する。
【００１６】
制御ユニット２は、制御部２０と、レーザ光制御部２１と、レーザ光駆動部２２ａ〜２２ｄと、インタフェイス２３と、同期信号発生部２４とを有する。制御部２０は、レーザ光制御部２１とインタフェイス２３とを接続し、レーザ光制御部２１は、レーザ駆動部２２ａ〜２２ｄを接続する。制御部２０は、同期信号制御部２０１と、シャッタ制御部２０１と、走査制御部２０３とを有する。
【００１７】
レーザ光発振ユニット３は、レーザ発振器３０ａ〜３０ｄと、シャッタ３１ａ〜３１ｄと、ダイクロイックミラー３２ａ〜３２ｄとを有する。レーザ光走査ユニット４は、レーザシャッタ４０と、ダイクロイックミラー４１と、走査ユニット４２と、ピンホール４３と、ダイクロイックミラー４４ａ〜４４ｄと、測定フィルタ４５ａ〜４５ｄと、光電変換器４６ａ〜４６ｄとを有する。顕微鏡ユニット５は、結像レンズ５１と、対物レンズ５２と、標本５４を載置するサンプルステージ５３とを有する。
【００１８】
入出力処理部６は、入力部７から観察画像の取得指示を入力すると、インタフェイス２３を介して制御部２０に取得指示信号を出力する。制御部２０は、この取得指示信号を入力すると、レーザ光制御部２１にレーザ光の出射指示信号を出力する。
【００１９】
レーザ光制御部２１は、この出射指示信号を入力すると、レーザ光駆動部２２ａ〜２２ｄに駆動信号を出力し、レーザ光駆動部２２ａ〜２２ｄは、この駆動信号をもとに出射信号をレーザ光発振器３０ａ〜３０ｄに出力する。レーザ発振器３０ａ〜３０ｄは、この出射信号をもとに波長λ１のレーザ光Ｌ１、波長λ２のレーザ光Ｌ２、波長λ３のレーザ光Ｌ３、波長λ４のレーザ光Ｌ４を出射する。
【００２０】
シャッタ３１ａ〜３１ｄは、制御部２０の制御のもと開閉され、開の状態によってレーザ光発振器３０ａ〜３０ｄが出射したレーザ光Ｌ１〜Ｌ４を選択的に通過させる。ダイクロイックミラー３２ａ〜３２ｄは、レーザ光発振器３０ａ〜３０ｄが出射したレーザ光Ｌ１〜Ｌ４を反射、あるいは透過し、レーザ光発振器３０ａ〜３０ｄが出射したレーザ光Ｌ１〜Ｌ４を一つの光路に合成する。
【００２１】
光ファイバ９とコリメータレンズ１０とは、レーザ光発振ユニット３によって一つの光路に合成されたレーザ光Ｌ１〜Ｌ４をレーザ光走査ユニット４に導光する。レーザシャッタ４０は、開閉によって、レーザ光走査ユニット４に導光されたレーザ光Ｌ１〜Ｌ４の入射を制御し、ダイクロイックミラー４１は、レーザシャッタ４０を通過したレーザ光Ｌ１〜Ｌ４を反射し、標本５４が発した蛍光を透過する。
【００２２】
ダイクロイックミラー４１で反射されたレーザ光Ｌ１〜Ｌ４は、走査ユニット４２に入射し、走査ユニット４２は、制御ユニット２の制御のもとレーザ光Ｌ１〜Ｌ４を走査し、レーザ光走査ユニット４から出射させる。
【００２３】
レーザ光走査ユニット４から出射したレーザ光Ｌ１〜Ｌ４は、投影レンズ５０を介して顕微鏡ユニット５に入射する。結像レンズ５１と対物レンズ５２とは、入射したレーザ光Ｌ１〜Ｌ４をサンプルステージ５３に載置された標本５４に集光する。
【００２４】
標本５４に集光したレーザ光Ｌ１〜Ｌ４は、標本５４を励起し、蛍光を発する。蛍光は、ダイクロイックミラー４１まで入射したレーザ光Ｌ１〜Ｌ４と同じ光路を逆行し、ダイクロイックミラー４１は、蛍光を透過させ、ピンホール４３は、レーザ光と蛍光との共焦点を検出し、蛍光を通過させる。
【００２５】
ダイクロイックミラー４４ａ〜４４ｄは、蛍光の波長に応じて蛍光を透過、あるいは反射し、波長フィルタ４５ａ〜４５ｄに導光する。波長フィルタ４５ａ〜４５ｄは、所定の波長の蛍光のみを透過し、光電変換器４６ａ〜４６ｄに導光する。
【００２６】
光電変換器４６ａ〜４６ｄは、入射した蛍光を光量に応じて光電変換し、電気信号を制御ユニット２に出力する。制御ユニット２は、入力した電気信号をインタフェイス２３を介して入出力処理部６に出力し、入出力処理部６は、この電気信号をもとに観察画像を形成し、表示部８に観察画像を出力表示する。
【００２７】
制御部２０は、同期信号ＣＬＫを入力するとともに出射指示信号によってレーザ光制御部２１を制御し、開閉信号によってシャッタ３１ａ〜３１ｄを制御し、ピクセル信号ＰＣＬＫによって走査ユニット４２を制御する。
【００２８】
ここで、レーザ光制御部２１の詳細を図２に示す。図２に示すように、レーザ光制御部２１は、メモリ制御部２１０ａ〜２１０ｄと、メモリ部２１１ａ〜２１１ｄと、デジタル／アナログ変換器（Ｄ／Ａ）２１２ａ〜２１２ｄと、バッファアンプ２１３ａ〜２１３ｄと、励起波長選択部２１４とを有する。
【００２９】
メモリ制御部２１０ａ〜２１０ｄは、同期信号ＣＬＫを入力するとともに制御部２０から出射指示信号を入力する。この出射指示信号をもとにメモリ制御部２１０ａ〜２１０ｄは、レーザ光Ｌ１〜Ｌ４の照射領域と照射光量とをメモリ２１１ａ〜２１１ｄに設定する。
【００３０】
メモリ２１１ａ〜２１１ｄは、観察画像の１フレーム分の照射領域と照射光量とをデジタル値として記憶して蓄積し、１フレーム分蓄積すると、順次Ｄ／Ａ２１２ａ〜２１２ｄにこのデジタル値をデジタル信号として出力する。Ｄ／Ａ２１２ａ〜２１２ｄは、入力したデジタル信号をアナログ信号に変換し、バッファアンプ２１３ａ〜２１３ｄに出力する。
【００３１】
励起波長選択部２１４は、制御部２０から出射指示信号を入力するとともに同期信号ＣＬＫを入力し、この出射指示信号と同期信号ＣＬＫとをもとにトリガ信号Ｔｒ１〜Ｔｒ４生成して各バッファアンプ２１３ａ〜２１３ｄに出力する。
【００３２】
バッファアンプ２１３ａ〜２１３ｄは、Ｄ／Ａ２１２ａ〜２１２ｄが変換したアナログ信号を入力するとともにトリガ信号Ｔｒ１〜Ｔｒ４を入力し、トリガ信号Ｔｒ１〜Ｔｒ４を入力した時のみアナログ信号を増幅して駆動信号をレーザ駆動部２２ａ〜２２ｄに出力する。
【００３３】
ここで、同期信号発生部２４が出力する同期信号ＣＬＫと、走査制御部２０３が出力するピクセル信号ＰＣＬＫと、励起波長選択部２１４が出力するトリガ信号Ｔｒ１〜Ｔｒ４とのタイミングチャートを図３に示す。
【００３４】
図３に示すように、観察画像の１画素に対応してピクセル信号ＰＣＬＫは、「ＯＮ」「ＯＦＦ」し、トリガ信号Ｔｒ１〜Ｔｒ４は、重複せずに「ＯＮ」「ＯＦＦ」して１画素を４分割する。
【００３５】
このトリガ信号Ｔｒ１〜Ｔｒ４の「ＯＮ」の時間間隔に対応してレーザ発振器３０ａ〜３０ｄからレーザ光Ｌ１〜Ｌ４が出射される。その結果、波長の異なる４種類のレーザ光Ｌ１〜Ｌ４が重複されずに標本５４に照射され、制御ユニット２は、レーザ光Ｌ１〜Ｌ４によって励起され、標本５４が発した蛍光に対応した電気信号を入力し、インタフェイス２３を介して入出力処理部６にこの電気信号を出力する。入出力処理部６は、この電気信号をもとに４種類の観察画像を作成し、表示部８に表示出力する。
【００３６】
すなわち、メモリ部２１１ａ〜２１１ｄは、レーザ光Ｌ１〜Ｌ４の１フレーム分の照射領域と照射光量とを１画素単位で記憶し、励起波長選択部２１４は、トリガ信号Ｔｒ１〜Ｔｒ４を出力することによってレーザ光Ｌ１〜Ｌ４を時分割する。
【００３７】
レーザ光駆動部２２ａ〜２２ｄは、駆動信号を入力すると、この駆動信号に同期させてレーザ発振器３０ａ〜３０ｄを発振させ、レーザ発振器３０ａ〜３０ｄは、トリガ信号Ｔｒ１〜Ｔｒ４にしたがってレーザ光Ｌ１〜Ｌ４を出射する。
【００３８】
その結果、レーザ光Ｌ１〜Ｌ４が走査する走査領域Ｒ０において、画素単位で所望の照射領域を、パーセント（％）単位の所望の照射光量で各レーザ光Ｌ１〜Ｌ４を照射することができる。つぎに各レーザ光Ｌ１〜Ｌ４の照射領域と照射光量とを表す照射パターンの具体例を示す。
【００３９】
図４に示すように、走査領域Ｒ０において、レーザ光Ｌ１は、照射光量２５％で照射領域Ｒ１２５を照射し、照射光量４０％で照射領域Ｒ１４０を照射し、照射光量５０％で照射領域Ｒ１５０を照射し、照射光量１００％で照射領域Ｒ１１００を照射する。
【００４０】
また、図５に示すように、走査領域Ｒ０において、レーザ光Ｌ２は、照射光量２５％で照射領域Ｒ２２５を照射し、照射光量４０％で照射領域Ｒ２４０を照射し、照射光量５０％で照射領域Ｒ２５０を照射し、照射光量１００％で照射領域Ｒ２１００,Ｒ２を照射する。
【００４１】
また、図６に示すように、走査領域Ｒ０において、レーザ光Ｌ３は、照射光量４０％で走査領域Ｒ０全域である照射領域Ｒ３を照射し、図７に示すように、レーザ光Ｌ４は、照射光量２５％で照射領域Ｒ４２５を照射し、照射光量４０％で照射領域Ｒ４４０を照射し、照射光量５０％で照射領域Ｒ４５０を照射し、照射光量１００％で照射領域Ｒ４１００,Ｒ４４を照射し、照射領域Ｒ４５を照射しない。
【００４２】
この実施の形態１では、メモリ部２１１ａ〜２１１ｄが走査領域におけるレーザ光Ｌ１〜Ｌ４の照射領域と照射光量とを記憶し、励起波長選択部２１４がレーザ光Ｌ１〜Ｌ４を時分割して出射させることによって、多重励起された標本５４の画素分解能の良い観察画像を取得することができる。
【００４３】
なお、この実施の形態１では、レーザ光Ｌ１〜Ｌ４を４種類とし、１画素を４分割していたが、レーザ光を４以外の複数にして、この複数の数に対応して１画素を時分割するようにしてもよい。
【００４４】
また、この実施の形態１では、レーザ光制御部２１の制御のもとレーザ発振器３０ａ〜３０ｄから出射されるレーザ光Ｌ１〜Ｌ４を時分割していたが、レーザ発振器３０ａ〜３０ｄからレーザ光Ｌ１〜Ｌ４を出射させ続け、シャッタ制御部２０２の制御のもとシャッタ３１ａ〜３１ｄの開閉によってレーザ光Ｌ１〜Ｌ４を時分割して照射するようにしてもよい。
【００４５】
（実施の形態２）
つぎに、この発明の実施の形態２である走査型レーザ顕微鏡装置について説明する。実施の形態１では、メモリ部２１１ａ〜２１１ｄが走査領域に対する照射領域と照射光量とを記憶するようにしていたが、この実施の形態２では、レーザ光Ｌ１〜Ｌ４がそれぞれ所定の光量で照射するようにして照射光量を記憶する部分を省略し、メモリ容量を削減するようにしている。
【００４６】
図８は、この実施の形態２にかかる走査型レーザ顕微鏡装置１００の概要構成を示すブロック図である。図８に示すように、この走査型レーザ顕微鏡装置１００は、実施の形態１で示した走査型レーザ顕微鏡装置１のレーザ光制御部２１をレーザ光制御部２１Ａに代えている。なお、その他の構成は、実施の形態１で示した走査型レーザ顕微鏡装置１と同一であり、同一の構成部分には同一の符号を付している。
【００４７】
図８に示すように、レーザ光制御部２１Ａは、制御部２０からレーザ光Ｌ１〜Ｌ４の出射指示を入力するとレーザ駆動部２２ａ〜２２ｄに時分割された駆動信号を出力し、レーザ光Ｌ１〜Ｌ４が時分割されて出射する。
【００４８】
図９は、レーザ光制御部２１Ａの概要構成を示すブロック図である。図９に示すように、このレーザ光制御部２１Ａは、励起波長選択部２２６と、光量設定部２２０ａ〜２２０ｄと、領域設定メモリ部２２１ａ〜２２１ｄと、領域内光量設定部２２２ａ〜２２２ｄと、乗算器２２３ａ〜２２３ｄと、Ｄ／Ａ２２４ａ〜２２４ｄと、バッファアンプ２２５ａ〜２２５ｄとを有する。
【００４９】
制御部２０は、走査領域における照射領域の情報と照射光量の情報とを含む出射指示信号をレーザ光制御部２１Ａに出力する。この出射指示信号は、各レーザ光の照射光量をそれぞれ所定値にして照射領域のみ可変する指示内容となっている。
【００５０】
励起波長選択部２２６は、この出射指示信号を入力すると照射光量と照射領域とを光量設定部２２０ａ〜２２０ｄに設定出力するとともにバッファアンプ２２５ａ〜２２５ｄにトリガ信号Ｔｒ１〜Ｔｒ４を出力する。
【００５１】
光量設定部２２０ａ〜２２０ｄは、励起波長選択部２２６によって照射光量と照射領域とが設定されると、乗算器２２３ａ〜２２３ｄに設定された照射光量を出力するとともに領域設定メモリ部２２１ａ〜２２１ｄに画素単位の照射領域を出力設定する。
【００５２】
領域設定メモリ部２２１ａ〜２２１ｄは、１フレーム分の照射領域を蓄積すると、領域内光量設定部２２２ａ〜２２２ｄに１フレーム分の照射領域を出力設定する。領域内光量設定部２２２ａ〜２２２ｄは、設定された１フレーム分の照射領域を１画素単位で乗算器２２３ａ〜２２３ｄに出力する。照射領域に対応して「１」を出力し、照射しない領域に対応して「０」を出力する。
【００５３】
乗算器２２３ａ〜２２３ｄは、光量設定部２２０ａ〜２２０ｄが出力した照射光量と領域内光量設定部２２２ａ〜２２２ｄが出力した「０」あるいは「１」とを乗算し、照射光量であるデジタル信号をＤ／Ａ２２４ａ〜２２４ｄに出力する。照射領域には照射光量のダジタル信号が出力され、照射しない領域には「０」が出力される。Ｄ／Ａ２２４ａ〜２２４ｄは、入力したデジタル信号をアナログ信号に変換し、バッファアンプ２２５ａ〜２２５ｄに出力する。
【００５４】
バッファアンプ２２５ａ〜２２５ｄは、Ｄ／Ａ２２４ａ〜２２４ｄから入力したアナログ信号をトリガ信号Ｔｒ１〜Ｔｒ４にしたがって時分割してレーザ駆動部２２ａ〜２２ｄに出力し、レーザ駆動部２２ａ〜２２ｄは、このアナログ信号に対応した出射信号をレーザ発振器３０ａ〜３０ｄに出力し、レーザ発振器３０ａ〜３０ｄは、アナログ信号に対応した光量のレーザ光Ｌ１〜Ｌ４を出射する。
【００５５】
この実施の形態２では、レーザ光Ｌ１〜Ｌ４が照射する照射光量をそれぞれ所定の値に固定し、照射領域のみ可変するようにしてメモリ容量を削減するようにしていた。メモリ容量を削減することによって、装置を小型化でき、かつ安価に装置を製造できる。
【図面の簡単な説明】
【００５６】
【図１】この発明の実施の形態１にかかる走査型レーザ顕微鏡装置の概要構成を示すブロック図である。
【図２】この発明の実施の形態１にかかるレーザ光制御部の概要構成を示すブロック図である。
【図３】この発明の実施の形態１にかかる同期信号とピクセル信号とトリガ信号とのタイミングを示すタイミングチャートである。
【図４】この発明の実施の形態１にかかるレーザ光の照射光量と照射領域とを示す模式図である。
【図５】この発明の実施の形態１にかかるレーザ光の照射光量と照射領域とを示す模式図である。
【図６】この発明の実施の形態１にかかるレーザ光の照射光量と照射領域とを示す模式図である。
【図７】この発明の実施の形態１にかかるレーザ光の照射光量と照射領域とを示す模式図である。
【図８】この発明の実施の形態２にかかる走査型レーザ顕微鏡装置の概要構成を示すブロック図である。
【図９】この発明の実施の形態２にかかるレーザ光制御部の概要構成を示すブロック図である。
【符号の説明】
【００５７】
１,１００  走査型レーザ顕微鏡装置
２  制御ユニット
３  レーザ光発振ユニット
４  レーザ光走査ユニット
５  顕微鏡ユニット
６  入出力処理部
７  入力部
８  表示部
９  光ファイバ
１０  コリメータレンズ
２０  制御部
２１  レーザ光制御部
２２ａ〜２２ｄ  レーザ駆動部
２４  同期信号発生部
３０ａ〜３０ｄ  レーザ発振器
３１ａ〜３１ｄ  シャッタ
３２ａ〜３２ｄ,４１,４４ａ〜４４ｄ  ダイクロイックミラー
４０  レーザシャッタ
４２  走査ユニット
４３  ピンホール
４５ａ〜４５ｄ  波長フィルタ
４６ａ〜４６ｄ  光電変換器
５０  投影レンズ
５１  結像レンズ
５２  対物レンズ
５３  サンプルステージ
５４  標本
２０１  同期信号制御部
２０２  シャッタ制御部
２０３  走査制御部
２１０ａ〜２１０ｄ  メモリ制御部
２１１ａ〜２１１ｄ  メモリ部
２１２ａ〜２１２ｄ,２２４ａ〜２２４ｄ  Ｄ／Ａ
２１３ａ〜２１３ｄ,２２５ａ〜２２５ｄ  バッファアンプ
２１４,２２６  励起波長選択部
２２０ａ〜２２０ｄ  光量設定部
２２１ａ〜２２１ｄ  領域設定メモリ部
２２２ａ〜２２２ｄ  領域内光量設定部
２２３ａ〜２２３ｄ  乗算器
【図１】
2006215177.tif 000003
【図２】
2006215177.tif 000004
【図３】
2006215177.tif 000005
【図４】
2006215177.tif 000006
【図５】
2006215177.tif 000007
【図６】
2006215177.tif 000008
【図７】
2006215177.tif 000009
【図８】
2006215177.tif 000010
【図９】
2006215177.tif 000011